(57)【要約】      （修正有）【課題】患者等がモニタ装置から離れた状態にあっても生体情報をリアルタイムにモニタできるようにする。【解決手段】第１モニタ装置１０は、第１表示部１１および第１コネクタ１２を有する。携帯可能な第２モニタ装置２０は、第２表示部２１、第２コネクタ２２、および信号入力部２５を有する。信号入力部２５には、生体情報に係る測定信号が入力される。第２表示部２１には、測定信号に対応する情報が表示される。第１コネクタ１２と第２コネクタ２２が接続されると、第２表示部２１は非表示状態にされるとともに、測定信号に対応する情報が第１表示部１１に表示される。【選択図】図３
2014132931.tif 000002
【特許請求の範囲】
【請求項１】
第１表示部および第１コネクタを有する第１モニタ装置と、
前記第１コネクタと接離可能な第２コネクタを有する第２モニタ装置とを備え、
前記第２モニタ装置は、
生体情報に係る測定信号が入力される信号入力部と、
前記測定信号に対応する情報が表示される第２表示部とを備え、
前記第１コネクタと前記第２コネクタが接続されたとき、前記第２表示部は非表示状態にされるとともに、前記測定信号に対応する情報が前記第１表示部に表示される、生体情報モニタシステム。
【請求項２】
前記第２モニタ装置は、前記第１コネクタと前記第２コネクタが接続されたときに前記第１モニタ装置が起動されていないことが検出された場合に、前記第２表示部を前記非表示状態とする前にアラームを出力する、請求項１に記載の生体情報モニタシステム。
【請求項３】
前記第１コネクタと前記第２コネクタが接続されたとき、前記第１表示部と前記第２表示部は異なる方向を向くように配置される、請求項１または２に記載の生体情報モニタシステム。
【請求項４】
前記第１モニタ装置の一部に前記第１コネクタが設けられた凹部が形成されており、
前記第２モニタ装置が前記凹部に配置されることにより、前記第２コネクタが前記第１コネクタと接続され、前記第２モニタ装置の外面の一部は、前記第１モニタ装置の外面の一部と同一面をなすように配置される、請求項１から３のいずれか一項に記載の生体情報モニタシステム。
【請求項５】
前記第１コネクタと前記第２コネクタが接続された状態において前記第２表示部は、前記第１表示部に表示されている情報を一時的に表示可能である、請求項２から４のいずれか一項に記載の生体情報モニタシステム。
【発明の詳細な説明】
【技術分野】
【０００１】
本発明は、患者等の生体情報をモニタするための生体情報モニタシステムに関する。
【０００２】
この種のシステムとして、表示部を備えるモニタ装置から患者等の生体情報に係る測定信号が入力される信号入力部を分離可能としたものが知られている（例えば、特許文献１を参照）。このような構成によれば、患者等がモニタ装置を離れて移動を要する際に、患者に装着された電極を取外したり、ケーブルを別のモニタ装置に付け替える煩雑な作業を解消することができる。
【先行技術文献】
【特許文献】
【０００３】
【特許文献１】実用新案登録第１９８１６３３号公報
【発明の概要】
【発明が解決しようとする課題】
【０００４】
特許文献１に記載の構成においては、着脱自在とされている信号入力部自体は表示部を備えていない。そのためモニタ装置から離れた患者の生体情報の測定結果は、当該信号入力部が備えるメモリに蓄積される。蓄積された測定結果を目視で確認するためには、信号入力部を再度モニタ装置に装着して当該測定結果を表示部に表示させる必要がある。したがってモニタ装置から離れた状態において生体情報をリアルタイムにモニタすることができず、例えば容体の急変が生じうる患者への適用が困難である。
【０００５】
よって本発明は、患者等がモニタ装置から離れた状態にあっても生体情報をリアルタイムにモニタできるようにする技術を提供することを目的とする。
【課題を解決するための手段】
【０００６】
上記の目的を達成するために、本発明がとりうる一態様は、生体情報モニタシステムであって、
第１表示部および第１コネクタを有する第１モニタ装置と、
前記第１コネクタに対して接離可能な第２コネクタを有する第２モニタ装置とを備え、
前記第２モニタ装置は、
生体情報に係る測定信号が入力される信号入力部と、
前記測定信号に対応する情報が表示される第２表示部とを備え、
前記第１コネクタと前記第２コネクタが接続されたとき、前記第２表示部は非表示状態にされるとともに、前記測定信号に対応する情報が前記第１表示部に表示される。
【０００７】
このような構成によれば、第１モニタ装置に対して接離可能とされた第２モニタ装置が、当該患者等の生体情報をリアルタイムに表示可能な第２表示部を備えているため、場所の制約を受けることなく目視による生体情報のモニタが可能となる。容体の急変が生じた場合においても、生体情報の詳細を目視により確認することができるため、迅速かつ適切な処置を講ずることができる。
【０００８】
また第１コネクタと第２コネクタが接続されたとき、第２表示部は非表示状態にされるとともに、測定信号に対応する情報が第１表示部に表示されるため、同一の生体情報が第１表示部と第２表示部に重複して表示されることを避け、不要な電力消費を抑制しうる。これにより近年厳しさを増す省電力性能の要求に応えうる。さらに第２モニタ装置からの発熱を抑制することができるため、第２モニタ装置が装着される第１モニタ装置の側における熱対策を簡易なものとすることができ、装置の小型化や部品コストの抑制が可能となる。
【０００９】
前記第２モニタ装置は、前記第１コネクタと前記第２コネクタが接続されたときに前記第１モニタ装置が起動されていないことが検出された場合に、前記第２表示部を前記非表示状態とする前にアラームを出力する構成としてもよい。
【００１０】
このような構成によれば、第１モニタ装置が起動されていない状態で第２表示部が非表示状態とされ、生体情報モニタリングの連続性が中断されてしまう事態を回避することができる。
【００１１】
前記第１コネクタと前記第２コネクタが接続されたとき、前記第１表示部と前記第２表示部は異なる方向を向くように配置される構成としてもよい。この場合、第１モニタ装置の空きスペースを有効に活用することができる。すなわち第１モニタ装置の筺体において第１表示部が設けられていない側は空きスペースの面積が大きいため、第２モニタ装置の装着部を広く確保することができる。
【００１２】
前記第１モニタ装置の一部に前記第１コネクタが設けられた凹部が形成されており、前記第２モニタ装置が前記凹部に配置されることにより、前記第２コネクタが前記第１コネクタと接続され、前記第２モニタ装置の外面の一部は、前記第１モニタ装置の外面の一部と同一面をなすように配置される構成としてもよい。
【００１３】
このような構成によれば、第１モニタ装置の筺体内に存在する空きスペースを、第２モニタ装置の装着部として有効活用することにより、モニタシステム全体のサイズを小さくすることができ、ベッドサイドの空間を広く確保することに寄与する。また装着された第２モニタ装置が第１モニタ装置から突出する部位を少なくすることにより、患者等や医療従事者の身体や衣服が不意に装置に引っ掛かるなどの事態を避けることができる。
【００１４】
前記第１コネクタと前記第２コネクタが接続された状態において前記第２表示部は、前記第１表示部に表示されている情報を一時的に表示可能である構成としてもよい。
【００１５】
このような構成によれば、第１表示部が設けられている側とは異なる側から一時的に生体情報を確認したいといった要求に応えることができる。また表示を一時的なものに限ることにより電力消費と発熱を最小限に抑えることができる。
【図面の簡単な説明】
【００１６】
【図１】本発明の一実施形態に係るモニタシステムの構成を示すブロック図である。
【図２】モニタシステムを構成する第１モニタ装置と第２モニタ装置が接続された状態を示す斜視図である。
【図３】第１モニタ装置と第２モニタ装置が分離された状態を示す斜視図である。
【図４】第２モニタ装置が実行する電力管理処理を示すフローチャートである。
【図５】変形例に係る第１モニタ装置と第２モニタ装置が分離された状態を示す斜視図である。
【発明を実施するための形態】
【００１７】
本発明の実施形態を添付の図面を参照しつつ以下詳細に説明する。なお以下の説明に用いる各図面では、各部材を認識可能な大きさとするために縮尺を適宜変更している。
【００１８】
図１は、本発明の一実施形態に係るモニタシステム１の外観を示す斜視図である。モニタシステム１は、第１モニタ装置１０および第２モニタ装置２０を備えている。図１の（ａ）は第１モニタ装置１０の前方から見た外観を、図１の（ｂ）は第１モニタ１０装置の後方から見た外観を示している。
【００１９】
第１モニタ装置１０は、いわゆるベッドサイドモニタであり、医療施設等において患者等が横たわるベッドの脇に配置される比較的大きな装置である。第１モニタ装置１０の前面には、第１表示部１１が設けられている。第１表示部１１は、周知のディスプレイ装置である。
【００２０】
第２モニタ装置２０は、第１モニタ装置１０の背面側に装着されている。装着状態において、第２モニタ装置２０の前面は第１モニタ装置１０の後方を向いている。第２モニタ装置２０の前面には、第２表示部２１が設けられている。第２表示部２１は、第１表示部１１よりも小さな画面を有する、周知のディスプレイ装置である。
【００２１】
第２モニタ装置２０は、信号入力部２５を備えている。信号入力部２５にはケーブル３１が接続されており、ケーブル３１の先端には、患者等の身体に装着されて生体情報に係る測定信号を得るためのセンサ３２が接続されている。センサ３２の例としては、心電図波形を取得するための電極、動脈血酸素飽和度や脈拍を取得するためのプローブ、血圧を取得するためのカフなどが挙げられる。
【００２２】
図２に示すように、第２モニタ装置２０は、第１モニタ装置１０から取り外して携帯可能とされている。第１モニタ装置１０は第１コネクタ１２を、第２モニタ装置２０は、第２コネクタ２２をそれぞれ備えている。第１コネクタ１２と第２コネクタ２２を接続することにより第２モニタ装置２０は第１モニタ装置１０に装着され、第１コネクタ１２と第２コネクタ２２を分離することにより第２モニタ装置２０は第１モニタ装置１０から取外し可能とされている。
【００２３】
例えば患者等がベッドから搬送される場合に、第２モニタ装置２０が第１モニタ装置１０から取り外され、患者を搬送するベットなどに固定される。これにより患者の身体に装着したセンサ３２を取り外したり、ケーブル３１を信号入力部２５から取り外したりすることなく、当該患者等の生体情報モニタリングを継続することができる。
【００２４】
図３は、上記モニタシステム１の構成を示すブロック図である。第１モニタ装置１０は、上記の第１表示部１１および第１コネクタ１２に加え、第１制御部１３および電源部１４を備えている。第２モニタ装置２０は、上記の第２表示部２１、第２コネクタ２２、および信号入力部２５に加え、第２制御部２３、バッテリ２４、および報知部２６を備えている。
【００２５】
第１制御部１３は、各種演算処理を実行するＣＰＵ、各種制御プログラムを格納するＲＯＭ、データ格納やプログラム実行のためのワークエリアとして利用されるＲＡＭ等を備え、第１モニタ装置１０における様々な制御を実行する。第１制御部１３は、第１表示部１１、第１コネクタ１２、および電源部１４のそれぞれと通信可能に接続されている。
【００２６】
電源部１４は、商用電源に接続可能な構成とされている。第１モニタ装置１０に設けられた図示しない電源スイッチがオン状態とされることにより、第１制御部１３は、商用電源より供給される電力を電源部１４を通じて第１モニタ装置１０の各部に供給する。電源部１４は、第１コネクタ１２と電気的に接続されている。
【００２７】
第２制御部２３は、各種演算処理を実行するＣＰＵ、各種制御プログラムを格納するＲＯＭ、データ格納やプログラム実行のためのワークエリアとして利用されるＲＡＭ等を備え、第２モニタ装置２０における様々な制御を実行する。第２制御部２３は、第２表示部２１、第２コネクタ２２、バッテリ２４、信号入力部２５、および報知部２６のそれぞれと通信可能に接続されている。
【００２８】
バッテリ２４は、周知の構成を有する充電式電池である。第２モニタ装置２０に設けられた図示しない電源スイッチがオン状態とされることにより、第２制御部２３は、電力をバッテリ２４より第２モニタ装置２０の各部に供給する。
【００２９】
上述のように信号入力部２５には、センサ３２およびケーブル３１を通じて患者等の生体情報に係る測定信号が入力される。第２制御部２３は、当該測定信号に対応する情報（波形、数値、指標等）を第２表示部２１にリアルタイムに表示させる。
【００３０】
患者等が携帯可能な第２モニタ装置２０が、当該患者等の生体情報をリアルタイムに表示可能な第２表示部２１を備えているため、場所の制約を受けることなく目視による生体情報のモニタが可能となる。容体の急変が生じた場合においても、生体情報の詳細を目視により確認することができるため、迅速かつ適切な処置を講ずることができる。
【００３１】
患者等がベッドに戻ると、第２モニタ装置２０が第１モニタ装置１０に再装着される。第２制御部２３は、第１コネクタ１２と第２コネクタ２２が接続されると、信号入力部２５より入力される測定信号を第１モニタ装置１０へ送信するように構成されている。
【００３２】
具体的には、第１コネクタ１２および第２コネクタ２２を経由して、測定信号が第１制御部１３に入力される。第１制御部１３は、当該測定信号に対応する情報（波形、数値、指標等）を第１表示部１１にリアルタイムに表示させる。一方、第２制御部２３は、第２表示部２１を非表示状態として信号入力部２５より入力される測定信号に対応する情報のリアルタイム表示を中止する。
【００３３】
また第１モニタ装置１０の電源部１４と第２モニタ装置２０のバッテリ２４が、第１コネクタ１２および第２コネクタ２２を介して電気的に接続され、電源部１４から供給される電力の一部によりバッテリ２４の充電が開始される。
【００３４】
本実施形態のモニタシステム１においては、同一の生体情報が第１表示部１１と第２表示部２１に重複して表示されることを避けることにより、近年厳しさを増す省電力性能の要求に応えるとともに、不要な電力消費を抑制するようにしている。
【００３５】
また第２表示部２１が非表示状態とされるため、第２モニタ装置２０からの発熱を抑制することができる。したがって第２モニタ装置２０が装着される第１モニタ装置１０の側における熱対策を簡易なものとすることができ、装置の小型化や部品コストの抑制が可能となる。
【００３６】
次に図４のフローチャートを参照しつつ、第２制御部２３が実行する電力管理処理について具体的に説明する。第１コネクタ１２と第２コネクタ２２の接続を第２制御部２３が検知することにより、電力管理処理が開始される。
【００３７】
第２制御部２３は、第１コネクタ１２および第２コネクタ２２を通じて検知される第１制御部１３の状態に基づき、第１モニタ装置１０が起動されているか否かを判断する（ステップＳ１）。第１モニタ装置１０が起動されていない状態で第２表示部２１が非表示状態にされてしまうと、生体情報モニタリングの連続性が中断されて好ましくないためである。
【００３８】
ここで第１モニタ装置１０が起動されていると判断されると（ステップＳ１においてＹｅｓ）、第２制御部２３によりバッテリ２４から第２表示部２１への電力供給が停止され、上述のように第２表示部２１は非表示状態とされる（ステップＳ２）。
【００３９】
一方、第１モニタ装置１０が起動されていないと判断されると（ステップＳ１においてＮｏ）、第２制御部２３により報知処理が実行される（ステップＳ３）。具体的には、第２モニタ装置２０が備える報知部２６がアラームを出力し、不適切な使用状態である旨をユーザに報知する。当該報知は、視覚的なアラームと聴覚的なアラームの少なくとも一方を用いて行なわれる。
【００４０】
すなわち第２モニタ装置２０は、第１コネクタ１２と第２コネクタ２２が接続されたときに第１モニタ装置１０が起動されていないことが検出された場合に、第２表示部２１を非表示状態とする前に、報知部２６を通じてアラームを出力する。アラームによる報知は、第１モニタ装置１０の起動が検出されるまで継続される。これにより生体情報モニタリングの連続性を維持することができる。なお第１コネクタ１２と第２コネクタ２２の接続が解除された場合、アラームによる報知が解除される構成としてもよい。
【００４１】
本実施形態の第２モニタ装置２０は、第１モニタ装置１０に装着された状態においても、所定の操作を行なうことにより、第１表示部１１に表示されている生体情報を、第２表示部２１に一時的に表示させることができる。さらに第１表示部１１に表示されているバッテリ残量等のシステム情報を第２表示部２１に一時的に表示させることができる。但し電力消費と発熱を最小限に抑えるために、表示時間を一定値に限るようにすることが好ましい。
【００４２】
第２制御部２３は、所定の表示操作がなされるまでは待機状態にある（ステップＳ４においてＮｏ）。所定の表示操作が検出されると（ステップＳ４においてＹｅｓ）、第２制御部２３は、バッテリ２４から第２表示部２１への電力供給を開始して（ステップＳ５）、第１表示部１１に表示されている生体情報、すなわち信号入力部２５に入力される測定信号に対応する情報を第２表示部２１に表示させる。
【００４３】
一方、第２制御部２３は内部タイマを用いて所定の表示時間のカウントを開始する。所定時間が経過するまでは（ステップＳ６においてＮｏ）、カウントを継続する。所定時間のカウントが終了すると（ステップＳ６においてＹｅｓ）、第２制御部２３は、バッテリ２４から第２表示部２１への電力供給を停止し、第２表示部２１は非表示状態とされる（ステップＳ２）。
【００４４】
本実施形態のモニタシステム１は、第２モニタ装置２０の第１モニタ装置１０への装着時において、第１表示部１１と第２表示部２１が反対側を向いている。したがって上記の機能は、第１表示部１１が設けられている側とは反対側から一時的に生体情報を確認したい場合などに有用である。
【００４５】
第１表示部１１で生体情報のリアルタイム表示を行ない、第２表示部２１では、第１制御部１３または第２制御部２３のメモリに蓄積された過去の生体情報の測定結果を確認するための表示を行なわせるように構成することもできる。
【００４６】
また第１コネクタ１２と第２コネクタ２２が接続されたときに第１表示部１１と第２表示部２１が反対側を向くように配置されるように構成することにより、第１モニタ装置１０の空きスペースを有効に活用することができる。すなわち第１モニタ装置１０の筺体において第１表示部１１が設けられていない背面側は空きスペースの面積が大きいため、第２モニタ装置２０の装着部を広く確保することができる。
【００４７】
本実施形態においては、図２に示すように、第１モニタ装置１０の一部に凹部１０ａが形成されており、第１コネクタ１２は、当該凹部１０ａ内に設けられている。第２コネクタ２２は、第２モニタ装置２０の背面に設けられている。第２モニタ装置２０が凹部１０ａ内に配置されることにより、第２コネクタ２２が第１コネクタ１２と接続される。このとき第２モニタ装置２０の外面の一部は、第１モニタ装置１０の外面の一部と同一面をなすように配置される。
【００４８】
このような構成によれば、第１モニタ装置１０の筺体内に存在する空きスペースを、第２モニタ装置２０の装着部として有効活用することにより、モニタシステム１全体のサイズを小さくすることができ、ベッドサイドの空間を広く確保することに寄与する。また装着された第２モニタ装置２０が第１モニタ装置１０から突出する部位を少なくすることにより、患者等や医療従事者の身体や衣服が不意に装置に引っ掛かるなどの事態を避けることができる。
【００４９】
上記の実施形態は本発明の理解を容易にするためのものであって、本発明を限定するものではない。本発明は、その趣旨を逸脱することなく変更・改良され得ると共に、本発明にはその等価物が含まれることは明らかである。
【００５０】
第１コネクタ１２と第２コネクタ２２が接続されたとき、第２モニタ装置２０は、必ずしも第２表示部２１が第１表示部１１の反対側を向くように配置されることを要しない。十分なスペースが確保できるのであれば、第１モニタ装置１０の上面や側面に第２モニタ装置２０が装着され、その状態において第１表示部１１と第２表示部２１が異なる向きを向くように構成してもよい。この場合、第１コネクタ１２と第２コネクタ２２の配置は、そのような第１表示部１１と第２表示部２１の向きを実現しうるよう適宜に定められる。
【００５１】
また必ずしも第２モニタ装置２０を収容するための凹部１０ａを第１モニタ装置１０の一部に設けることを要しない。例えば図５に示す変形例に係るモニタシステム１Ａのように、タブレット型の形態を有する第２モニタ装置２０Ａが、第１モニタ装置１０Ａと背中合わせになるように装着される構成としてもよい。
【符号の説明】
【００５２】
１：モニタシステム、１０：第１モニタ装置、１０ａ：凹部、１１：第１表示部、１２：第１コネクタ、２０：第２モニタ装置、２１：第２表示部、２２：第２コネクタ、２５：信号入力部、２６：報知部
【図１】
2014132931.tif 000003
【図２】
2014132931.tif 000004
【図３】
2014132931.tif 000005
【図４】
2014132931.tif 000006
【図５】
2014132931.tif 000007